(57)【特許請求の範囲】
【請求項１】
掃除具の下面を覆い、当該掃除具に装着される清掃用シートにおいて、
基材シートと、
前記基材シートの一方の面に接合され、繊維が一方向に配向して集合してなる繊維集合体と、
前記基材シートの他方の面の略全域に設けられ、ゴミを粘着捕集するための粘着部と、
を備え、
前記繊維の自由端部の長さは、前記繊維集合体が前記基材シートの一方の面の前記一方向両端部からはみ出ないように設定されていることを特徴とする清掃用シート。
【請求項２】
請求項１に記載の清掃用シートにおいて、
前記繊維には、所定の油剤成分が塗工されていることを特徴とする清掃用シート。
【発明の詳細な説明】
【技術分野】
【０００１】
本発明は、清掃用シートに関する。
【背景技術】
【０００２】
従来、把持棒が連結された掃除具に装着されて使用される清掃用シートとして、基材シートに、繊維集合体が接合されてなるものが知られている。
【０００３】
具体的には、例えば、髪の毛や綿埃などの繊維に絡みやすいゴミ及びパン屑やゴマなどの繊維に絡みにくい粒状ゴミを捕集できる清掃用シートとして、基材シートと、当該基材シートに互いに離間して接合された複数個の繊維集合体と、当該基材シートにおける当該離間した繊維集合体の間に設けられたゴミ粘着部と、を備える清掃用シートが知られている（例えば、特許文献１参照）。
ここで、特許文献１においては、繊維集合体を基材シートに接合するための集合体粘着部とゴミを粘着捕集するためのゴミ粘着部とが一体化している清掃用シート（第１実施形態の清掃用シート）と、集合体粘着部とゴミ粘着部とが分離している清掃用シート（第２実施形態の清掃用シート）と、について記載されている。
【先行技術文献】
【特許文献】
【０００４】
【特許文献１】特開２００８−２７２１４７号公報
【発明の概要】
【発明が解決しようとする課題】
【０００５】
しかしながら、特許文献１記載の集合体粘着部とゴミ粘着部とが一体化している清掃用シートにおいては、清掃中に繊維が粘着部にくっついてしまうため、繊維の自由度が低下するとともに、粘着部が繊維で覆われて粘着部の粘着性が低下してしまって、繊維に絡みやすいゴミも繊維に絡みにくいゴミも効率よく捕集できないという問題がある。
また、特許文献１記載の集合体粘着部とゴミ粘着部とが分離している清掃用シートにおいては、集合体粘着部とゴミ粘着部との間の距離と、繊維の自由端部の長さと、の関係等について記載されておらず、清掃中に繊維が粘着部に付着してしまう可能性があるため、やはり繊維に絡みやすいゴミも繊維に絡みにくいゴミも効率よく捕集できないという問題がある。
【０００６】
本発明の課題は、繊維に絡みやすいゴミも繊維に絡みにくいゴミも効率よく捕集することができる清掃用シートを提供することにある。
【課題を解決するための手段】
【０００８】
上記課題を解決するために、請求項１に記載の発明は、
掃除具の下面を覆い、当該掃除具に装着される清掃用シートにおいて、
基材シートと、
前記基材シートの一方の面に接合され、繊維が一方向に配向して集合してなる繊維集合体と、
前記基材シートの他方の面の略全域に設けられ、ゴミを粘着捕集するための粘着部と、
を備え、
前記繊維の自由端部の長さは、前記繊維集合体が前記基材シートの一方の面の前記一方向両端部からはみ出ないように設定されていることを特徴とする。
【００１０】
請求項２に記載の発明は、
請求項１に記載の清掃用シートにおいて、
前記繊維には、所定の油剤成分が塗工されていることを特徴とする。
【発明の効果】
【００１１】
本発明によれば、粘着部に対する繊維の付着を抑制できるため、繊維に絡みやすいゴミも繊維に絡みにくいゴミも効率よく捕集することができる。
【図面の簡単な説明】
【００１２】
【図１】第１の実施の形態の清掃用シートの一例を示す下面側斜視図である。
【図２】第１の実施の形態の清掃用シートの下面図である。
【図３】第１の実施の形態の清掃用シートを掃除具に装着した状態の一例を示す側面図である。
【図４】第２の実施の形態の清掃用シートの下面図である。
【図５】第３の実施の形態の清掃用シートの下面図である。
【図６】第３の実施の形態の清掃用シートの上面図である。
【図７】第３の実施の形態の清掃用シートを掃除具に装着した状態の一例を示す側面図である。
【図８】第４の実施の形態の清掃用シートの下面図である。
【図９】第４の実施の形態の清掃用シートを掃除具に装着した状態の一例を示す側面図である。
【発明を実施するための形態】
【００１３】
以下に、図を参照して、本発明の実施の形態を詳細に説明する。ただし、発明の範囲は、図示例に限定されない。
本発明に係る清掃用シートは、掃除具に装着して用いる取り替え式の清掃用シートである。
なお、以下の説明では、清掃用シートにおいて、長手方向一端側を左側、他端側を右側とし、短手方向一端側を前側、他端側を後側とし、掃除具に装着された際に掃除具と接する側を上側、掃除具と接する側の反対側を下側とする。
【００１４】
［第１の実施の形態］
まず、第１の実施の形態の清掃用シート１００について説明する。
【００１５】
清掃用シート１００は、例えば、図１及び図２に示すように、長方形状の基材シート１１０と、基材シート１１０の一方の面（下面）に接合され、繊維１２１，…が一方向（前後方向）に配向して集合してなる２個の繊維集合体１２０，１２０と、基材シート１１０の一方の面（下面）に設けられ、ゴミを粘着捕集するための粘着部１３０と、を備えて構成される。
そして、清掃用シート１００は、例えば、図３に示すように、略板状の掃除具Ｔ１の下面を覆うように装着されて使用される。
【００１６】
具体的には、清掃用シート１００は、基材シート１１０の短手方向（前後方向）中央部に、粘着部１３０が配置された粘着領域Ｒ１と、粘着領域Ｒ１の短手方向（前後方向）両側に、繊維集合体１２０，１２０が配置された集合体領域Ｒ２，Ｒ２と、を有している。すなわち、清掃用シート１００は、粘着領域Ｒ１と集合体領域Ｒ２とを交互に有し、そして、この粘着領域Ｒ１と集合体領域Ｒ２とによって床面等の被清掃面Ｆを清掃する。
この際、清掃用シート１００は、例えば、被清掃面Ｆに髪の毛や綿埃などの繊維に絡みやすいゴミがある場合、主に集合体領域Ｒ２で当該ゴミを絡め取ることによって、当該ゴミを捕集する。また、例えば、被清掃面Ｆに砂埃やパン屑、ゴマなどの繊維に絡みにくいゴミがある場合、主に粘着領域Ｒ１に当該ゴミを付着させることによって、当該ゴミを捕集する。
ここで、集合体領域Ｒ２（繊維集合体１２０）は、清掃用シート１００が掃除具Ｔ１に装着された際に掃除具Ｔ１の端部（主に短手方向両端部）からはみ出すように配置されている。これにより、掃除具Ｔ１が入り込めない隙間や部屋の隅、段差の側面などに繊維集合体１２０がフィットして効率よく清掃できるようになっている。
【００１７】
掃除具Ｔ１には、当該掃除具Ｔ１を操作するためにユーザが握る把持棒Ｔ２が連結されており、掃除具Ｔ１の上面には、清掃用シート１００を装着するための係止部（図示省略）が設けられている。
掃除具Ｔ１の下面は、その形状が長辺及び短辺を有する矩形状となっている。
【００１８】
基材シート１１０は、例えば、図１〜図３に示すように、清掃用シート１００が掃除具Ｔ１に装着された際に掃除具Ｔ１の下面側に配置される清掃部１１１と、清掃部１１１の短手方向（前後方向）両側に延在し、清掃用シート１００が掃除具Ｔ１に装着される際に上側に折り返されて自由端部が掃除具Ｔ１の係止部に係止される被係止部１１２，１１２と、清掃部１１１と被係止部１１２，１１２との境界に、被係止部１１２，１１２を上側に折り返す際の目印となる折り目（図示省略）と、を備えている。
【００１９】
基材シート１１０としては、合成繊維や再生繊維、天然繊維などの所定の繊維からなる布（不織布や織布など）、合成樹脂からなるシート材（フィルム状シート材やネット状シート材、スポンジ状シート材など）、パルプからなる抄紙（パルプに所定の繊維等を混抄した抄紙も含む）等、或いはこれらの複合体を用いることができ、特に不織布が適する。不織布としては、所定の繊維を繊維素材として、スパンレース、エアスルー、エアレイド、ポイントボンド、スパンボンド、ニードルパンチ等の周知の技術により製造される不織布が挙げられる。
【００２０】
繊維集合体１２０は、繊維集合体１２０の接合部１２２が所定の接合手段により清掃部１１１に接合されることによって、繊維１２１，…が基材シート１１０の短手方向に配向して集合してなる状態を維持したまま、基材シート１１０に固定されている。
所定の接合手段としては、ヒートシール、超音波シール、エンボスシール、ホットメルト等が挙げられる。これらは単独で、或いは２種以上を組み合わせて用いることができる。
【００２１】
ここで、繊維１２１は、所定の繊維が集合してなる繊維束（トウ）をなしていることとする。所定の繊維としては、合成繊維や再生繊維、天然繊維などが挙げられる。
また、繊維１２１には、所定の油剤成分を含む薬液が塗工されている。所定の油剤成分としては、例えば、流動パラフィン等の着塵剤が挙げられる。これにより、繊維１２１によるゴミ捕集性を向上させることができるとともに、繊維１２１に油剤成分を含む薬液が塗工されていない場合と比較して繊維１２１が粘着部１３０に付着しにくくなり、好適である。
【００２２】
具体的には、繊維集合体１２０は、例えば、図１及び図２に示すように、清掃用シート１００を展開した状態において、基材シート１１０の長手方向（左右方向）全域に、繊維１２１，…が基材シート１１０の短手方向に配向するように、基材シート１１０の清掃部１１１から被係止部１１２に亘って配置されている。そして、繊維集合体１２０の前後方向略中央が、基材シート１１０の清掃部１１１に接合されて、繊維集合体１２０の前後方向両端部が、自由端部になっている。
すなわち、繊維集合体１２０が基材シート１１０に接合される接合部１２２は、繊維集合体１２０における繊維１２１，…の配向方向（前後方向）略中央に、繊維集合体１２０の長手方向一端から他端に亘って直線状に連続的に配置されている。
【００２３】
粘着部１３０は、例えば、基材シート１１０の清掃部１１１の下面上に備えられた粘着シートである。
粘着シートとしては、ゴミ粘着捕集性を有する粘着剤により形成されたものであれば任意であり、例えば、ホットメルト粘着剤等の公知の粘着剤により形成することができる。
【００２４】
ここで、粘着部１３０の幅（前後方向の長さＡ）及び繊維集合体１２０における繊維１２１の自由端部の長さＢ１，Ｂ２は、繊維１２１の自由端部の長さＢ１，Ｂ２と、接合部１２２から当該接合部１２２に隣接する粘着部１３０までの長さＣと、が同一となるように設定されている。すなわち、繊維１２１の長さが粘着部１３０に届かない長さに設定されているため、繊維１２１が粘着部１３０に付着しにくくなり、好適である。
具体的には、例えば、一方の接合部１２２から他方の接合部１２２までの長さを１００ｍｍとした場合、粘着部１３０の前後方向の長さＡを２０ｍｍに設定すると、接合部１２２から当該接合部１２２に隣接する粘着部１３０までの長さＣは４０ｍｍであるため、繊維１２１の自由端部の長さＢ１，Ｂ２はそれぞれ４０ｍｍに設定され、粘着部１３０の前後方向の長さＡを４０ｍｍに設定すると、接合部１２２から当該接合部１２２に隣接する粘着部１３０までの長さＣは３０ｍｍであるため、繊維１２１の自由端部の長さＢ１，Ｂ２はそれぞれ３０ｍｍに設定される。
【００２５】
なお、粘着部１３０の前後方向の長さＡは、繊維１２１の自由端部の長さＢ１，Ｂ２と、接合部１２２から当該接合部１２２に隣接する粘着部１３０までの長さＣと、が同一となるように設定されるのであれば任意であるが、粘着部１３０によるゴミ捕集性を確保する等の観点から、清掃部１１１のサイズが一般的なサイズ（１００ｍｍ×２５０ｍｍ）である場合、粘着部１３０の前後方向の長さＡは、２０ｍｍ〜４０ｍｍが好ましい。
また、繊維１２１の自由端部の長さＢ１，Ｂ２は、繊維１２１の自由端部の長さＢ１，Ｂ２と、接合部１２２から当該接合部１２２に隣接する粘着部１３０までの長さＣと、が同一となるように設定されるのであれば任意であるが、繊維集合体１２０（繊維１２１）によるゴミ捕集性を確保する等の観点から、清掃部１１１のサイズが一般的なサイズ（１００ｍｍ×２５０ｍｍ）である場合、繊維１２１の自由端部の長さＢ１，Ｂ２は、３０ｍｍ〜４０ｍｍが好ましい。
また、一方の接合部１２２から他方の接合部１２２までの長さが長いほど、粘着部１３０の前後方向の長さＡ及び繊維１２１の自由端部の長さＢ１，Ｂ２を確保することができるため、接合部１２２，１２２の位置は、清掃部１１１の中でもより外側（前後方向外側）であることが好ましい。
【００２６】
次に、清掃用シート１００の使用方法について説明する。
【００２７】
まず、清掃用シート１００を掃除具Ｔ１に装着する。
清掃部１１１と被係止部１１２，１１２との境界に設けられた折り目を目印として、掃除具Ｔ１の下面に清掃部１１１上面をあてがって、掃除具Ｔ１の側面（短手方向両側面）に沿って被係止部１１２，１１２を上側に折り返す。そして、被係止部１１２，１１２の自由端部を掃除具Ｔ１の上面に設けられている係止部に挟み込む等して係止させることにより、例えば、図３に示すように、清掃用シート１００を掃除具Ｔ１に装着する。
そして、ユーザは、清掃用シート１００が装着された掃除具Ｔ１の把持棒Ｔ２を握り、清掃用シート１００で被清掃面Ｆを拭き掃除する。
【００２８】
この際、清掃用シート１００は、髪の毛や綿埃などの繊維に絡みやすいゴミを、集合体領域Ｒ２（繊維集合体１２０）で絡め取って除去することができるとともに、砂埃等の繊維に絡みにくいゴミを、集合体領域Ｒ２（繊維集合体１２０）で掻き集めて、粘着領域Ｒ１（粘着部１３０）に付着させて除去することができる。
【００２９】
ここで、清掃用シート１００においては、粘着部１３０よりも繊維集合体１２０の方が厚いため、粘着領域Ｒ１と集合体領域Ｒ２とに段差が生じている。
そのため、ユーザによる把持棒Ｔ２の操作等によって、清掃用シート１００が被清掃面Ｆに軽く押し付けられると、集合体領域Ｒ２のみが被清掃面Ｆに接触して、粘着領域Ｒ１は被清掃面Ｆに接触しない。したがって、粘着領域Ｒ１が被清掃面Ｆに粘着することなく、スムーズに拭き掃除することができる。
一方、ユーザによる把持棒Ｔ２の操作等によって、清掃用シート１００が被清掃面Ｆに強く押し付けられると、粘着領域Ｒ１も被清掃面Ｆに接触する。したがって、例えば、集合体領域Ｒ２により捕集できないゴミ（繊維に絡みにくいゴミ等）が被清掃面Ｆ上にある場合は、清掃用シート１００を被清掃面Ｆに強く押し付けて、粘着領域Ｒ１に当該ゴミを付着させることによって、当該ゴミを捕集することができる。
すなわち、清掃用シート１００は、把持棒Ｔ２の操作の仕方等によって、清掃中に、繊維に絡みやすいゴミ用の清掃用シートと、繊維に絡みにくいゴミ用の清掃用シートと、に切替自在であり、集合体領域Ｒ２と粘着領域Ｒ１とを使い分けることができるため、多彩な清掃を行うことができ、好適である。
【００３０】
以上説明した第１の実施の形態における清掃用シート１００によれば、基材シート１１０と、基材シート１１０の下面に接合され、繊維１２１が前後方向に配向して集合してなる繊維集合体１２０，１２０と、基材シート１１０の下面に設けられ、ゴミを粘着捕集するための粘着部１３０と、を備え、清掃用シート１００には、粘着部１３０が設けられた粘着領域Ｒ１と繊維集合体１２０が配置された集合体領域Ｒ２，Ｒ２とが前後方向に沿って隣接して配置され、繊維１２１の自由端部の長さＢ１，Ｂ２は、繊維集合体１２０が基材シート１１０に接合される接合部１２２から隣接する粘着部１３０までの長さＣと同一である。
すなわち、繊維１２１の長さが粘着部１３０に届かない長さに設定されているため、粘着部１３０に対する繊維１２１の付着を抑制できることとなって、繊維に絡みやすいゴミも繊維に絡みにくいゴミも効率よく捕集することができる。
【００３１】
また、以上説明した第１の実施の形態における清掃用シート１００によれば、繊維１２１には、所定の油剤成分が塗工されている。
したがって、繊維１２１によるゴミ捕集性を向上させることができるとともに、油剤成分の影響で繊維１２１が粘着部１３０に付着しにくくなるため、粘着部１３０に対する繊維１２１の付着を抑制できることとなって、繊維に絡みやすいゴミも繊維に絡みにくいゴミも効率よく捕集することができる。
【００３２】
［第２の実施の形態］
次に、第２の実施の形態の清掃用シート２００について説明する。
なお、第２の実施の形態の清掃用シート２００は、備える繊維集合体１２０の個数が１個である点が、第１の実施の形態の清掃用シート１００と異なる。したがって、異なる箇所のみについて説明し、その他の共通する部分の説明については省略することとする。
【００３３】
清掃用シート２００は、例えば、図４に示すように、基材シート１１０と、基材シート１１０の下面に接合された１個の繊維集合体１２０と、基材シート１１０の下面に設けられた粘着部１３０と、を備えて構成される。
具体的には、清掃用シート２００は、基材シート１１０の清掃部１１１における後側部分に、粘着部１３０が配置された粘着領域Ｒ１と、粘着領域Ｒ１の前側に、繊維集合体１２０が配置された集合体領域Ｒ２と、を有し、粘着領域Ｒ１と集合体領域Ｒ２とによって床面等の被清掃面Ｆを清掃する。
【００３４】
ここで、粘着部１３０の前後方向の長さＡ及び繊維１２１の自由端部の長さＢ１，Ｂ２は、繊維１２１の自由端部の長さＢ１，Ｂ２と、接合部１２２から当該接合部１２２に隣接する粘着部１３０までの長さＣと、が同一となるように設定されている。
具体的には、例えば、接合部１２２から清掃部１１１の後端までの長さを１００ｍｍとした場合、粘着部１３０の前後方向の長さＡを２０ｍｍに設定すると、接合部１２２から当該接合部１２２に隣接する粘着部１３０までの長さＣは８０ｍｍであるため、繊維１２１の自由端部の長さＢ１，Ｂ２はそれぞれ８０ｍｍに設定され、粘着部１３０の前後方向の長さＡを５０ｍｍに設定すると、接合部１２２から当該接合部１２２に隣接する粘着部１３０までの長さＣは５０ｍｍであるため、繊維１２１の自由端部の長さＢ１，Ｂ２はそれぞれ５０ｍｍに設定される。
【００３５】
なお、粘着部１３０の前後方向の長さＡは、繊維１２１の自由端部の長さＢ１，Ｂ２と、接合部１２２から当該接合部１２２に隣接する粘着部１３０までの長さＣと、が同一となるように設定されるのであれば任意であるが、粘着部１３０によるゴミ捕集性を確保する等の観点から、清掃部１１１のサイズが一般的なサイズ（１００ｍｍ×２５０ｍｍ）である場合、粘着部１３０の前後方向の長さＡは、２０ｍｍ〜５０ｍｍが好ましい。
また、繊維１２１の自由端部の長さＢ１，Ｂ２は、繊維１２１の自由端部の長さＢ１，Ｂ２と、接合部１２２から当該接合部１２２に隣接する粘着部１３０までの長さＣと、が同一となるように設定されるのであれば任意であるが、繊維集合体１２０（繊維１２１）によるゴミ捕集性を確保する等の観点から、清掃部１１１のサイズが一般的なサイズ（１００ｍｍ×２５０ｍｍ）である場合、繊維１２１の自由端部の長さＢ１，Ｂ２は、５０ｍｍ〜８０ｍｍが好ましい。
また、接合部１２２から清掃部１１１の後端までの長さが長いほど、粘着部１３０の前後方向の長さＡ及び繊維１２１の自由端部の長さＢ１，Ｂ２を確保することができるため、接合部１２２の位置は、清掃部１１１の中でもより外側（前側）であることが好ましい。
【００３６】
以上説明した第２の実施の形態における清掃用シート２００によれば、清掃部１１１における前側部分に集合体領域Ｒ２を有するとともに、清掃部１１１における後側部分に粘着領域Ｒ１を有している。
したがって、集合体領域Ｒ２と粘着領域Ｒ１とを使い分けることができるため、ゴミを効率よく捕集することができる。具体的には、例えば、清掃用シート２００を掃除具Ｔ１に装着して使用する際、まず、掃除具Ｔ１の清掃方向前側に集合体領域Ｒ２、清掃方向後側に粘着領域Ｒ１が配置されるように、清掃用シート２００が装着された掃除具Ｔ１を被清掃面Ｆ上に置いて被清掃面Ｆを掃除することにより、集合体領域Ｒ２で繊維に絡みやすいゴミを捕集するとともに、集合体領域Ｒ２で繊維に絡みにくいゴミを掻き集める。次いで、掃除具Ｔ１の清掃方向前側に粘着領域Ｒ１、清掃方向後側に集合体領域Ｒ２が配置されるように、清掃用シート２００が装着された掃除具Ｔ１を被清掃面Ｆ上に置いて被清掃面Ｆを掃除することにより、集合体領域Ｒ２が掻き集めたゴミを粘着領域Ｒ１で捕集するようにすると、集合体領域Ｒ２で捕集すべきゴミ（繊維に絡みやすいゴミ）が粘着領域Ｒ１に付着するのを抑制できるため、繊維に絡みにくいゴミを粘着領域Ｒ１で効率よく捕集することができる。
【００３７】
［第３の実施の形態］
次に、第３の実施の形態における清掃用シート３００について説明する。
なお、第３の実施の形態の清掃用シート３００は、粘着部１３０が基材シート３１０の上面に設けられている点と、基材シート３１０が被係止部１１２，１１２を備えていない点と、が第１の実施の形態の清掃用シート１００と異なる。したがって、異なる箇所のみについて説明し、その他の共通する部分の説明については省略することとする。
【００３８】
清掃用シート３００は、例えば、図５及び図６に示すように、長方形状の基材シート３１０と、基材シート３１０の一方の面（下面）に接合された２個の繊維集合体１２０，１２０と、基材シート１１０の他方の面（上面）に設けられた粘着部１３０と、を備えて構成される。
そして、清掃用シート３００は、例えば、図７に示すように、略板状の掃除具Ｔ１の下面を覆うように装着されて使用される。
【００３９】
具体的には、清掃用シート１００は、基材シート３１０の上面略全域に、粘着部１３０が配置された粘着領域Ｒ１と、基材シート３１０の下面における前側部分及び後側部分に、繊維集合体１２０，１２０が配置された集合体領域Ｒ２，Ｒ２と、を有し、粘着領域Ｒ１と集合体領域Ｒ２とによって床面等の被清掃面Ｆを清掃する。
【００４０】
基材シート３１０は、例えば、図５〜図７に示すように、清掃用シート３００が掃除具Ｔ１に装着された際に掃除具Ｔ１の下面側に配置される清掃部１１１のみを備えており、第１の実施の形態の基材シート１１０のように、被係止部１１２，１１２や、被係止部１１２，１１２を上側に折り返す際の目印となる折り目（図示省略）は備えていないこととする。
【００４１】
ここで、繊維集合体１２０における繊維１２１の自由端部の長さＢ１，Ｂ２は、清掃部１１１の前後方向両端部から繊維集合体１２０がはみ出ない長さとなるように設定されていることが好ましい。
第１及び第２の実施の形態の清掃用シート１００，２００においては、繊維集合体１２０と粘着部１３０とが同一の面に配置されているので、粘着部１３０に対する繊維１２１の付着を抑制するために、粘着部１３０の前後方向の長さＡ及び繊維集合体１２０における繊維１２１の自由端部の長さＢ１，Ｂ２を調整するようにした。
一方、第３の実施の形態の清掃用シート３００においては、繊維集合体１２０と粘着部１３０とが異なる面に配置されているので、粘着部１３０の前後方向の長さＡや繊維１２１の自由端部の長さＢ１，Ｂ２に関わらず、繊維１２１が粘着部１３０に付着しにくい構成になっている。しかしながら、繊維１２１の長さが清掃部１１１の前後方向両端部から繊維集合体１２０がはみ出す長さである場合、繊維１２１が清掃部１１１の上面（粘着部１３０）に届いて粘着部１３０に付着する可能性があるため、繊維１２１の自由端部の長さＢ１，Ｂ２を、清掃部１１１の前後方向両端部から繊維集合体１２０がはみ出ない長さとなるように設定すると、粘着部１３０に対する繊維１２１の付着をより一層抑制できることとなって、好適である。
【００４２】
次に、清掃用シート３００の使用方法について説明する。
【００４３】
まず、清掃用シート３００を掃除具Ｔ１に装着する。
掃除具Ｔ１の下面に清掃部１１１上面（粘着領域Ｒ１）をあてがい、粘着部１３０によって清掃用シート３００を掃除具Ｔ１に貼り付けることにより、例えば、図７に示すように、清掃用シート３００を掃除具Ｔ１に装着する。したがって、第３の実施の形態において、掃除具Ｔ１は、掃除具Ｔ１の上面に設けられた係止部を有していなくても良い。
そして、ユーザは、清掃用シート３００が装着された掃除具Ｔ１の把持棒Ｔ２を握り、清掃用シート１００で被清掃面Ｆを拭き掃除する。
【００４４】
この際、清掃用シート３００は、繊維に絡みやすいゴミを、集合体領域Ｒ２（繊維集合体１２０）で絡め取って除去することができるとともに、繊維に絡みにくいゴミを、集合体領域Ｒ２（繊維集合体１２０）で掻き集めることができる。そして、清掃用シート３００を掃除具Ｔ１から剥がし、当該清掃用シート３００の粘着領域Ｒ１を被清掃面Ｆに押し当てることによって、当該掻き集められたゴミを、粘着領域Ｒ１（粘着部１３０）に付着させて除去できるようになっている。
【００４５】
以上説明した第３の実施の形態における清掃用シート３００によれば、基材シート３１０の下面に接合され、繊維１２１が前後方向に配向して集合してなる繊維集合体１２０と、基材シート３１０の上面に設けられ、ゴミを粘着捕集するための粘着部１３０と、を備えている。
すなわち、繊維集合体１２０と粘着部１３０とが異なる面に配置されていて、繊維１２１が粘着部１３０に届きにくいため、粘着部１３０に対する繊維１２１の付着を抑制できることとなって、繊維に絡みやすいゴミも繊維に絡みにくいゴミも効率よく捕集することができる。
【００４６】
また、以上説明した第３の実施の形態における清掃用シート３００によれば、粘着部１３０が基材シート３１０の上面に設けられており、清掃用シート３００を粘着部１３０で掃除具Ｔ１に貼り付けることによって掃除具Ｔ１に装着できるため、基材シート３１０は被係止部１１２，１１２を備えていない。
すなわち、基材シート３１０のサイズは、掃除具Ｔ１の下面を覆うことができるサイズであれば良く、清掃に不要な部分を省くことができるため、より安価な清掃用シート３００を提供することができる。
【００４７】
［第４の実施の形態］
次に、第４の実施の形態の清掃用シート４００について説明する。
なお、第４の実施の形態の清掃用シート４００は、粘着部１３０が剥離シート４４０により被覆されている点が、第１の実施の形態の清掃用シート１００と異なる。したがって、異なる箇所のみについて説明し、その他の共通する部分の説明については省略することとする。
【００４８】
清掃用シート４００は、例えば、図８及び図９に示すように、基材シート１１０と、基材シート１１０の下面に接合された２個の繊維集合体１２０，１２０と、基材シート１１０の下面に設けられた粘着部１３０と、粘着部１３０を被覆する当該粘着部１３０に対して剥離自在な剥離シート４４０と、を備えて構成される。
そして、清掃用シート４００は、例えば、図９に示すように、略板状の掃除具Ｔ１の下面を覆うように装着されて使用される。
【００４９】
次に、清掃用シート４００の使用方法について説明する。
【００５０】
まず、清掃用シート４００を掃除具Ｔ１に装着する。
清掃部１１１と被係止部１１２，１１２との境界に設けられた折り目を目印として、掃除具Ｔ１の下面に清掃部１１１上面をあてがって、掃除具Ｔ１の側面（短手方向両側面）に沿って被係止部１１２，１１２を上側に折り返す。そして、被係止部１１２，１１２の自由端部を掃除具Ｔ１の上面に設けられている係止部に挟みこむ等して係止させることにより、例えば、図９に示すように、清掃用シート４００を掃除具Ｔ１に装着する。
そして、ユーザは、清掃用シート４００が装着された掃除具Ｔ１の把持棒Ｔ２を握り、清掃用シート４００で被清掃面Ｆを拭き掃除する。
【００５１】
この際、清掃用シート４００は、繊維に絡みやすいゴミを、集合体領域Ｒ２（繊維集合体１２０）で絡め取って除去することができるとともに、繊維に絡みにくいゴミを、集合体領域Ｒ２（繊維集合体１２０）で掻き集めることができる。そして、剥離シート４４０を剥がし、例えば、ユーザによる把持棒Ｔ２の操作等により、清掃用シート４００を被清掃面Ｆに強く押し付けて、粘着領域Ｒ１を被清掃面Ｆに押し当てることによって、当該掻き集められたゴミを、粘着領域Ｒ１（粘着部１３０）に付着させて除去できるようになっている。
【００５２】
以上説明した第４の実施の形態における清掃用シート３００によれば、粘着部１３０は、当該粘着部１３０に対して剥離自在な剥離シート４４０により被覆されている。
したがって、剥離シート４４０により被覆されている間、粘着部１３０は露出していないため、粘着部１３０に対する繊維１２１の付着を防止できるとともに、集合体領域Ｒ２で捕集すべきゴミ（繊維に絡みやすいゴミ）が粘着領域Ｒ１に付着するのを抑制できることとなって、繊維に絡みやすいゴミも繊維に絡みにくいゴミも効率よく捕集することができる。
【００５３】
なお、本発明は、上記した実施の形態のものに限るものではなく、その要旨を逸脱しない範囲で適宜変更可能である。
【００５４】
第１〜第４の実施の形態において、接合部１２２の本数は、１個の繊維集合体１２０に対して１本に限ることはなく、複数本であっても良い。
また、接合部１２２の形状は、繊維１２１，…の配向方向と直交する方向に延びているのであれば、直線状に限ることはなく任意であり、例えば、ジグザグ状、波線状、曲線状のうちの何れかであっても良い。
また、接合部１２２は、所定の接合線に沿って連続的に配置されたものに限ることはなく、所定の接合線に沿って破線状に断続的に配列されたものであっても良い。
また、接合部１２２の位置は、繊維集合体１２０の前後方向略中央に限ることはなく、任意であり、例えば、繊維集合体１２０の前後方向内側端部であっても良い。
【００５５】
第１〜第４の実施の形態において、接合部１２２を基材シート１１０，３１０に接合するための接合手段は、ヒートシール、超音波シール、エンボスシール、ホットメルトに限ることはなく公知の接合手段であれば任意であり、例えば、その他の接着剤、縫製、ステープラ、植毛等であっても良い。
【００５６】
第１、第２及び第４の実施の形態において、繊維１２１の自由端部の長さＢ１，Ｂ２を、接合部１２２から当該接合部１２２に隣接する粘着部１３０までの長さＣと同一となるよう設定したが、繊維１２１の自由端部の長さＢ１，Ｂ２を、接合部１２２から当該接合部１２２に隣接する粘着部１３０までの長さＣ以下となるよう設定しても良い。
【００５７】
第１及び第４の実施の形態においては、１つの粘着領域Ｒ１（粘着部１３０）と２つの集合体領域Ｒ２（繊維集合体１２０）とを有するよう清掃用シート１００，４００を構成し、第２の実施の形態においては、１つの粘着領域Ｒ１と１つの集合体領域Ｒ２とを有するよう清掃用シート２００を構成するようにしたが、粘着領域Ｒ１と集合体領域Ｒ２とが前後方向に沿って隣接して配置されているのであれば、清掃用シート１００，２００，４００が備える粘着領域Ｒ１及び集合体領域Ｒ２の個数や配置位置は任意である。
また、第３の実施の形態において、１つの粘着領域Ｒ１と２つの集合体領域Ｒ２を有するよう清掃用シート３００を構成したが、粘着領域Ｒ１が上面に配置されるとともに、集合体領域Ｒ２が下面に配置されるのであれば、清掃用シート３００が備える粘着領域Ｒ１及び集合体領域Ｒ２の個数や配置位置は任意である。
【００５８】
第１、第２及び第４の実施の形態において、集合体領域Ｒ２（繊維集合体１２０）及び粘着領域Ｒ１（粘着部１３０）は、基材シート１１０の片面（下面）だけでなく、両面（上面及び下面）に配置されていても良い。
【００５９】
第３の実施の形態において、基材シート３１０に被係止部１１２，１１２を備えないようにしたが、基材シート３１０は被係止部１１２，１１２を備えていても良い。この場合、繊維１２１が、清掃部１１１の前後方向両端部から繊維集合体１２０がはみ出す長さであっても、繊維１２１が清掃部１１１の上面（粘着部１３０）に届いて粘着部１３０に付着するのを被係止部１１２，１１２によって抑制することができる。
【００６０】
第４の実施の形態において、繊維１２１の自由端部の長さＢ１，Ｂ２は、接合部１２２から当該接合部１２２に隣接する粘着部１３０までの長さＣと同一又はそれ以下に限ることはなく、任意である。また、粘着部１３０の前後方向の長さＡも任意である。第４の実施の形態においては、粘着部１３０の前後方向の長さＡや繊維１２１の自由端部の長さＢ１，Ｂ２が任意であっても、剥離シート４４０により被覆されている間は粘着部１３０が露出していないため、粘着部１３０に対する繊維１２１の付着を防止でき、また、剥離シート４４０が剥離されても、繊維集合体１２０でゴミを捕集したり掻き集めたりした後に剥離シート４４０を剥離する場合は特に、粘着部１３０が露出した状態のまま繊維集合体１２０でゴミを捕集したり掻き集めたりする場合と比較して、繊維１２１が粘着部１３０に付着する確率が低くなり、粘着部１３０に対する繊維１２１の付着を抑制することができる。
【符号の説明】
【００６１】
１００，２００，３００，４００  清掃用シート
１１０，３１０  基材シート
１２０  繊維集合体
１２１  繊維
１２２  接合部
１３０  粘着部
４４０  剥離シート
Ｔ１  掃除具
Ｂ１，Ｂ２  繊維の自由端部の長さ
Ｃ  接合部から隣接する粘着部までの長さ
Ｒ１  粘着領域
Ｒ２  集合体領域
【図１】
0005498075.tif 000002
【図２】
0005498075.tif 000003
【図３】
0005498075.tif 000004
【図４】
0005498075.tif 000005
【図５】
0005498075.tif 000006
【図６】
0005498075.tif 000007
【図７】
0005498075.tif 000008
【図８】
0005498075.tif 000009
【図９】
0005498075.tif 000010